【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
被冷却媒体と冷却媒体との熱交換を行う熱交換器であって、
筒状に形成されるダクトプレート（１０）と、
前記ダクトプレートの内側に所定の間隔で積層される複数のクーリングプレート（２０）と、
前記ダクトプレートの内側に形成され、被冷却媒体が流れるダクト流路（１３）と、
前記ダクトプレートの内壁とそのダクトプレートに隣接する前記クーリングプレートとの間、または、前記ダクトプレートの内壁に接する所定のクーリングプレートとその所定のクーリングプレートに隣接する別のクーリングプレートとの間に形成され、前記ダクトプレートに隣接して冷却媒体が流れる隣接冷却流路（２３１）と、
前記ダクトプレートから離れた位置で複数の前記クーリングプレートの外縁同士が接合されて形成され、冷却媒体が流れる中間冷却流路（２３２）と、
前記ダクト流路に設けられるアウターフィン（１５）と、
前記中間冷却流路に設けられるインナーフィン（２４）と、
前記隣接冷却流路に設けられ、前記インナーフィンが設けられた前記中間冷却流路を流れる冷却媒体の圧力損失より、前記隣接冷却流路を流れる冷却媒体の圧力損失が小さくなるように構成される流路構造体と、を備え、
前記流路構造体は、前記中間冷却流路に設けられる前記インナーフィンよりもフィンピッチが粗く形成された、粗ピッチインナーフィン（４２）である、熱交換器。
【請求項２】
被冷却媒体と冷却媒体との熱交換を行う熱交換器であって、
筒状に形成されるダクトプレート（１０）と、
前記ダクトプレートの内側に所定の間隔で積層される複数のクーリングプレート（２０）と、
前記ダクトプレートの内側に形成され、被冷却媒体が流れるダクト流路（１３）と、
前記ダクトプレートの内壁とそのダクトプレートに隣接する前記クーリングプレートとの間、または、前記ダクトプレートの内壁に接する所定のクーリングプレートとその所定のクーリングプレートに隣接する別のクーリングプレートとの間に形成され、前記ダクトプレートに隣接して冷却媒体が流れる隣接冷却流路（２３１）と、
前記ダクトプレートから離れた位置で複数の前記クーリングプレートの外縁同士が接合されて形成され、冷却媒体が流れる中間冷却流路（２３２）と、
前記ダクト流路に設けられるアウターフィン（１５）と、
前記中間冷却流路に設けられるインナーフィン（２４）と、
前記隣接冷却流路に設けられ、前記インナーフィンが設けられた前記中間冷却流路を流れる冷却媒体の圧力損失より、前記隣接冷却流路を流れる冷却媒体の圧力損失が小さくなるように構成される流路構造体と、を備え、
前記流路構造体は、前記隣接冷却流路の内壁に設けられるディンプル構造（４０）と、前記中間冷却流路に設けられる前記インナーフィンよりもフィンピッチが粗く形成された粗ピッチインナーフィン（４２）とを含んで構成されている、熱交換器。
【請求項３】
被冷却媒体と冷却媒体との熱交換を行う熱交換器であって、
筒状に形成されるダクトプレート（１０）と、
前記ダクトプレートの内側に所定の間隔で積層される複数のクーリングプレート（２０）と、
前記ダクトプレートの内側に形成され、被冷却媒体が流れるダクト流路（１３）と、
前記ダクトプレートの内壁とそのダクトプレートに隣接する前記クーリングプレートとの間、または、前記ダクトプレートの内壁に接する所定のクーリングプレートとその所定のクーリングプレートに隣接する別のクーリングプレートとの間に形成され、前記ダクトプレートに隣接して冷却媒体が流れる隣接冷却流路（２３１）と、
前記ダクトプレートから離れた位置で複数の前記クーリングプレートの外縁同士が接合されて形成され、冷却媒体が流れる中間冷却流路（２３２）と、
前記ダクト流路に設けられるアウターフィン（１５）と、
前記中間冷却流路に設けられるインナーフィン（２４）と、
前記隣接冷却流路に設けられ、前記インナーフィンが設けられた前記中間冷却流路を流れる冷却媒体の圧力損失より、前記隣接冷却流路を流れる冷却媒体の圧力損失が小さくなるように構成される流路構造体と、を備え、
前記流路構造体は、前記中間冷却流路に設けられる前記インナーフィンの長さより短く形成されて、前記隣接冷却流路に間欠的に設けられたショートインナーフィン（４３）である、熱交換器。
【請求項４】
被冷却媒体と冷却媒体との熱交換を行う熱交換器であって、
筒状に形成されるダクトプレート（１０）と、
前記ダクトプレートの内側に所定の間隔で積層される複数のクーリングプレート（２０）と、
前記ダクトプレートの内側に形成され、被冷却媒体が流れるダクト流路（１３）と、
前記ダクトプレートの内壁とそのダクトプレートに隣接する前記クーリングプレートとの間、または、前記ダクトプレートの内壁に接する所定のクーリングプレートとその所定のクーリングプレートに隣接する別のクーリングプレートとの間に形成され、前記ダクトプレートに隣接して冷却媒体が流れる隣接冷却流路（２３１）と、
前記ダクトプレートから離れた位置で複数の前記クーリングプレートの外縁同士が接合されて形成され、冷却媒体が流れる中間冷却流路（２３２）と、
前記ダクト流路に設けられるアウターフィン（１５）と、
前記中間冷却流路に設けられるインナーフィン（２４）と、
前記隣接冷却流路に設けられ、前記インナーフィンが設けられた前記中間冷却流路を流れる冷却媒体の圧力損失より、前記隣接冷却流路を流れる冷却媒体の圧力損失が小さくなるように構成される流路構造体と、を備え、
前記流路構造体は、前記隣接冷却流路の内壁に設けられるディンプル構造（４０）と、前記中間冷却流路に設けられる前記インナーフィンの長さより短く形成されたショートインナーフィン（４３）とを含んで構成されている、熱交換器。
【請求項５】
被冷却媒体と冷却媒体との熱交換を行う熱交換器であって、
筒状に形成されるダクトプレート（１０）と、
前記ダクトプレートの内側に所定の間隔で積層される複数のクーリングプレート（２０）と、
前記ダクトプレートの内側に形成され、被冷却媒体が流れるダクト流路（１３）と、
前記ダクトプレートの内壁とそのダクトプレートに隣接する前記クーリングプレートとの間、または、前記ダクトプレートの内壁に接する所定のクーリングプレートとその所定のクーリングプレートに隣接する別のクーリングプレートとの間に形成され、前記ダクトプレートに隣接して冷却媒体が流れる隣接冷却流路（２３１）と、
前記ダクトプレートから離れた位置で複数の前記クーリングプレートの外縁同士が接合されて形成され、冷却媒体が流れる中間冷却流路（２３２）と、
前記ダクト流路に設けられるアウターフィン（１５）と、
前記中間冷却流路に設けられるインナーフィン（２４）と、
前記隣接冷却流路に設けられ、前記インナーフィンが設けられた前記中間冷却流路を流れる冷却媒体の圧力損失より、前記隣接冷却流路を流れる冷却媒体の圧力損失が小さくなるように構成される流路構造体（４０、４２、４３）と、を備え、
前記流路構造体は、前記隣接冷却流路の積層方向の一方の内壁と他方の内壁とを接続する構成である、熱交換器。
【請求項６】
前記流路構造体は、前記隣接冷却流路の内壁に設けられるディンプル構造（４０）である、請求項５に記載の熱交換器。
【請求項７】
前記ダクトプレートは、前記隣接冷却流路に前記流路構造体が配置されていない箇所に、前記隣接冷却流路に対し冷却媒体を供給または排出可能なパイプ取付穴（１６）を有する、請求項１ないし６のいずれか１つに記載の熱交換器。
【請求項８】
前記パイプ取付穴は、前記隣接冷却流路および前記中間冷却流路を前記クーリングプレートの積層方向に連通する連通路（２９）とは異なる位置に設けられている、請求項７に記載の熱交換器。
【請求項９】
前記隣接冷却流路は、前記クーリングプレートの積層方向の一方または他方に位置する前記ダクトプレートの内壁と、そのダクトプレートの積層方向に隣接する前記クーリングプレートとの間に形成されるものであり、
前記流路構造体は、前記隣接冷却流路を形成する前記ダクトプレートに設けられるものである、請求項１ないし８のいずれか１つに記載の熱交換器。
【請求項１０】
前記隣接冷却流路は、前記クーリングプレートの積層方向の一方または他方に位置する前記ダクトプレートの内壁に接する所定のクーリングプレートと、その所定のクーリングプレートの積層方向に隣接する別のクーリングプレートとの間に形成されるものであり、
前記流路構造体は、前記隣接冷却流路を形成する前記クーリングプレートに設けられるものである、請求項１ないし８のいずれか１つに記載の熱交換器。
【手続補正２】
【補正対象書類名】明細書
【補正対象項目名】０００６
【補正方法】変更
【補正の内容】
【０００６】
上記目的を達成するため、請求項１〜５に係る発明は、
被冷却媒体と冷却媒体との熱交換を行う熱交換器であって、
筒状に形成されるダクトプレート（１０）と、
ダクトプレートの内側に所定の間隔で積層される複数のクーリングプレート（２０）と、
ダクトプレートの内側に形成され、被冷却媒体が流れるダクト流路（１３）と、
ダクトプレートの内壁とそのダクトプレートに隣接するクーリングプレートとの間、または、ダクトプレートの内壁に接するクーリングプレートとそのクーリングプレートに隣接するクーリングプレートとの間に形成され、ダクトプレートに隣接して冷却媒体が流れる隣接冷却流路（２３１）と、
ダクトプレートから離れた位置で複数のクーリングプレートの外縁同士が接合されて形成され、冷却媒体が流れる中間冷却流路（２３２）と、
ダクト流路に設けられるアウターフィン（１５）と、
中間冷却流路に設けられるインナーフィン（２４）と、
隣接冷却流路に設けられ、インナーフィンが設けられた中間冷却流路を流れる冷却媒体の圧力損失より、隣接冷却流路を流れる冷却媒体の圧力損失が小さくなるように構成される流路構造体と、を備える。
さらに、請求項１に係る発明は、流路構造体は、中間冷却流路に設けられるインナーフィンよりもフィンピッチが粗く形成された、粗ピッチインナーフィン（４２）である。
請求項２に係る発明は、流路構造体は、隣接冷却流路の内壁に設けられるディンプル構造（４０）と、中間冷却流路に設けられるインナーフィンよりもフィンピッチが粗く形成された粗ピッチインナーフィン（４２）とを含んで構成されている。
請求項３に係る発明は、流路構造体は、中間冷却流路に設けられるインナーフィンの長さより短く形成されて、隣接冷却流路に間欠的に設けられたショートインナーフィン（４３）である。
請求項４に係る発明は、流路構造体は、隣接冷却流路の内壁に設けられるディンプル構造（４０）と、中間冷却流路に設けられるインナーフィンの長さより短く形成されたショートインナーフィン（４３）とを含んで構成されている。
請求項５に係る発明は、流路構造体は、隣接冷却流路の積層方向の一方の内壁と他方の内壁とを接続する構成である。
【手続補正３】
【補正対象書類名】明細書
【補正対象項目名】０００９
【補正方法】変更
【補正の内容】
【０００９】
そこで、請求項１〜５に係る発明では、隣接冷却流路に流路構造体を設けることで、隣接冷却流路を形成する部材の剛性を高くしている。これにより、隣接冷却流路を流れる冷却媒体の圧力や、ダクト流路を流れる被冷却媒体の圧力などに対し、隣接冷却流路を形成する部材の強度を保つことが可能となる。したがって、この熱交換器は、各構成部材の亀裂やろう付け箇所の破損などを防ぐことができる。なお、流路構造体とは、隣接冷却流路に設けられる構造体である。